(57)【要約】【課題】本発明は表示装置に関する。【解決手段】映像補正部は、第１シフトシナリオ（ｓｃｅｎａｒｉｏ）に応じて既設定された第１周期で映像に含まれる固定映像の第１予備シフト方向をアップデートし、第２シフトシナリオに応じて既設定された第２周期で固定映像の第２予備シフト方向をアップデートするシフト経路アップデート部と、第１予備シフト方向と第２予備シフト方向を比較した結果に基づいて第１予備シフト方向と第２予備シフト方向をそれぞれ第１ターゲットシフト方向と第２ターゲットシフト方向に補正するシフト方向決定部と、第１ターゲットシフト方向に基づいて第１映像シフトを行う第１シフト制御部と、第２ターゲットシフト方向に基づいて第２映像シフトを行う第２シフト制御部と、を含む。【選択図】図２
2020038340.tif 000002
【特許請求の範囲】
【請求項１】
第１シフトシナリオ（ｓｃｅｎａｒｉｏ）に応じて既設定された第１周期で映像に含まれる固定映像の第１予備シフト方向をアップデートし、第２シフトシナリオに応じて既設定された第２周期で前記固定映像の第２予備シフト方向をアップデートするシフト経路アップデート部と、
前記第１予備シフト方向と前記第２予備シフト方向を比較した結果に基づいて前記第１予備シフト方向と前記第２予備シフト方向をそれぞれ第１ターゲットシフト方向と第２ターゲットシフト方向に補正するシフト方向決定部と、
前記第１ターゲットシフト方向に基づいて第１映像シフトを行う第１シフト制御部と、
前記第２ターゲットシフト方向に基づいて第２映像シフトを行う第２シフト制御部と、を含むことを特徴とする映像補正部。
【請求項２】
前記第１予備シフト方向と前記第２予備シフト方向が反対方向である場合、前記シフト方向決定部は、前記第１予備シフト方向と前記第２予備シフト方向の何れか１つを反転させることを特徴とする請求項１に記載の映像補正部。
【請求項３】
前記第１予備シフト方向と前記第２予備シフト方向が反対方向ではない場合、前記シフト方向決定部は、前記第１予備シフト方向と前記第２予備シフト方向をそれぞれ前記第１ターゲットシフト方向と前記第２ターゲットシフト方向に決めることを特徴とする請求項１に記載の映像補正部。
【請求項４】
前記第１ターゲットシフト方向と前記第２ターゲットシフト方向が同一である場合、前記固定映像のシフト量が前記映像の他の部分のシフト量より大きいことを特徴とする請求項１に記載の映像補正部。
【請求項５】
前記第１シフト制御部は、前記映像のメイン領域を前記第１ターゲットシフト方向にシフトすることを特徴とする請求項１に記載の映像補正部。
【請求項６】
前記第１シフト制御部は、前記第１ターゲットシフト方向に対応してアップスケーリング（ｕｐｓｃａｌｉｎｇ）領域とダウンスケーリング（ｄｏｗｎｓｃａｌｉｎｇ）領域を決めることを特徴とする請求項５に記載の映像補正部。
【請求項７】
前記第２シフト制御部は、前記固定映像を前記第２ターゲットシフト方向にシフトすることを特徴とする請求項５に記載の映像補正部。
【請求項８】
前記第２シフト制御部は、前記第２ターゲットシフト方向に対応して前記固定映像を取り囲む既設定された周辺領域のアップスケーリング領域とダウンスケーリング領域を決めることを特徴とする請求項７に記載の映像補正部。
【請求項９】
前記第１ターゲットシフト方向と前記第２ターゲットシフト方向が同一である場合、前記固定映像のシフト量が前記メイン領域のシフト量より大きいことを特徴とする請求項７に記載の映像補正部。
【請求項１０】
前記第１ターゲットシフト方向と前記第２ターゲットシフト方向が同一である場合、前記固定映像のシフト量が前記メイン領域のシフト量の２倍であることを特徴とする請求項７に記載の映像補正部。
【請求項１１】
前記第１シフト制御部は、映像全体を表示パネルの画面より小さくダウンスケーリングして、前記第１ターゲットシフト方向に前記ダウンスケーリングされた映像をシフトすることを特徴とする請求項１に記載の映像補正部。
【請求項１２】
前記第２シフト制御部は、前記映像全体を前記第２ターゲットシフト方向にシフトしながら、前記画面から外れる部分の映像データをダウンスケーリングし、前記表示パネルのブラック部分の映像データをアップスケーリングすることを特徴とする請求項１１に記載の映像補正部。
【請求項１３】
前記シフト方向決定部は、
それぞれのシフト方向に対して設定された原本映像からの限界シフト量と、前記第１予備シフト方向と前記第２予備シフト方向のベクトルの和によって決まる予備シフト量とを比較して、前記第１予備シフト方向及び前記第２予備シフト方向のうち少なくとも１つを反転させるシフト量制御部を含むことを特徴とする請求項１に記載の映像補正部。
【請求項１４】
前記予備シフト量が前記限界シフト量を超える場合、前記シフト量制御部は前記限界シフト量のシフト方向と同じ予備シフト方向を反転させることを特徴とする請求項１３に記載の映像補正部。
【請求項１５】
前記シフト方向決定部は、
入力映像データを分析して前記映像に含まれる輪郭線（ｃｏｎｔｏｕｒ  ｌｉｎｅ）を検出し、前記輪郭線の横の合計と縦の合計を分析する映像分析部と、
前記横の合計と前記縦の合計を比較した結果に基づいて前記第１予備シフト方向と前記第２予備シフト方向を調整する第１調整部と、
前記調整された第１予備シフト方向と前記調整された第２シフト方向を比較し、前記調整された第１予備シフト方向と前記調整された第２予備シフト方向が反対方向である場合、前記調整された第１予備シフト方向と前記調整された第２予備シフト方向の何れか１つを反転させる第２調整部と、を含むことを特徴とする請求項１に記載の映像補正部。
【請求項１６】
前記横の合計が前記縦の合計より大きい場合、前記第１調整部は前記第１予備シフト方向と前記第２予備シフト方向を縦方向に調整することを特徴とする請求項１５に記載の映像補正部。
【請求項１７】
前記縦の合計が前記横の合計より大きい場合、前記第１調整部は前記第１予備シフト方向と前記第２予備シフト方向を横方向に調整することを特徴とする請求項１５に記載の映像補正部。
【請求項１８】
前記シフト方向決定部は、
それぞれのシフト方向に対して設定された限界シフト量と前記第２調整部から出力される予備シフト方向の組み合わせによって決まる予備シフト量を比較して、前記調整された第１予備シフト方向及び前記調整された第２予備シフト方向のうち少なくとも１つを反転させるシフト量制御部をさらに含むことを特徴とする請求項１５に記載の映像補正部。
【請求項１９】
入力映像データに基づいて前記固定映像を検出する固定映像検出部をさらに含むことを特徴とする請求項１に記載の映像補正部。
【請求項２０】
前記固定映像検出部は、前記固定映像を検出するためのマシンラーニング（ｍａｃｈｉｎｅ  ｌｅａｒｎｉｎｇ）を行う人工知能プログラムを含むことを特徴とする請求項１９に記載の映像補正部。
【発明の詳細な説明】
【技術分野】
【０００１】
本発明は表示装置に関し、より詳細には、映像補正部、これを含む表示装置及び表示装置の駆動方法に関するものである。
【背景技術】
【０００２】
有機発光表示（Ｏｒｇａｎｉｃ  Ｌｉｇｈｔ  Ｅｍｉｔｔｉｎｇ  Ｄｉｓｐｌａｙ：ＯＬＥＤ）装置、液晶表示（Ｌｉｑｕｉｄ  Ｃｒｙｓｔａｌ  Ｄｉｓｐｌａｙ：ＬＣＤ）装置、プラズマ（ｐｌａｓｍａ）表示装置などの表示装置は、駆動時間が経過するにつれて、画素が劣化し残像が発生する可能性がある。特に、高輝度で表示されるロゴや字幕などの固定映像は、表示画面の特定領域において長時間持続的に表示されるため、特定画素の劣化が加速して残像が発生する恐れがある。
【０００３】
最近では、このような問題点を解決するために、表示パネル上に一定周期で映像を移動させて表示する技術が用いられている。
【先行技術文献】
【特許文献】
【０００４】
【特許文献１】韓国公開特許第２０１６−０１２９９８５号公報
【特許文献２】韓国公開特許第２０１６−０１３２１７０号公報
【特許文献３】韓国公開特許第２０１７−００９０５５７号公報
【特許文献４】韓国登録特許第１０−０５１７５０００号公報
【発明の概要】
【発明が解決しようとする課題】
【０００５】
本発明の一目的は、第１映像シフト及び第２映像シフトを映像に同時に適用しながら映像シフト方向及び映像シフト量を制御する映像補正部を提供することである。
【０００６】
本発明の他の目的は、第１映像シフト及び第２映像シフトを映像に同時に適用しながら映像シフト方向及び映像シフト量を制御する表示装置の駆動方法を提供することである。
【０００７】
但し、本発明の目的は、上述した目的に限定されるものではなく、本発明の思想及び領域から外れない範囲内で多様に拡張できるだろう。
【課題を解決するための手段】
【０００８】
本発明の一目的を達成すべく、本発明の実施例による映像補正部は、第１シフトシナリオ（ｓｃｅｎａｒｉｏ）に応じて既設定された第１周期で映像に含まれる固定映像の第１予備シフト方向をアップデートし、第２シフトシナリオに応じて既設定された第２周期で上記固定映像の第２予備シフト方向をアップデートするシフト経路アップデート部と、上記第１予備シフト方向と上記第２予備シフト方向を比較した結果に基づいて上記第１予備シフト方向と上記第２予備シフト方向をそれぞれ第１ターゲットシフト方向と第２ターゲットシフト方向に補正するシフト方向決定部と、上記第１ターゲットシフト方向に基づいて第１映像シフトを行う第１シフト制御部と、上記第２ターゲットシフト方向に基づいて第２映像シフトを行う第２シフト制御部と、を含んでもよい。
【０００９】
また、上記第１予備シフト方向と上記第２予備シフト方向が反対方向である場合、上記シフト方向決定部は、上記第１予備シフト方向と上記第２予備シフト方向の何れか１つを反転させることができる。
【００１０】
また、上記第１予備シフト方向と上記第２予備シフト方向が反対方向ではない場合、上記シフト方向決定部は、上記第１予備シフト方向と上記第２予備シフト方向をそれぞれ上記第１ターゲットシフト方向と上記第２ターゲットシフト方向に決めることができる。
【００１１】
また、上記第１ターゲットシフト方向と上記第２ターゲットシフト方向が同一である場合、上記固定映像のシフト量が上記映像の他の部分のシフト量より大きくてもよい。
【００１２】
また、上記第１シフト制御部は、上記映像のメイン領域を上記第１ターゲットシフト方向にシフトすることができる。
【００１３】
また、上記第１シフト制御部は、上記第１ターゲットシフト方向に対応してアップスケーリング（ｕｐｓｃａｌｉｎｇ）領域とダウンスケーリング（ｄｏｗｎｓｃａｌｉｎｇ）領域を決めることができる。
【００１４】
また、上記第２シフト制御部は、上記固定映像を上記第２ターゲットシフト方向にシフトすることができる。
【００１５】
また、上記第２シフト制御部は、上記第２ターゲットシフト方向に対応して上記固定映像を取り囲む既設定された周辺領域のアップスケーリング領域とダウンスケーリング領域を決めることができる。
【００１６】
また、上記第１ターゲットシフト方向と上記第２ターゲットシフト方向が同一である場合、上記固定映像のシフト量が上記メイン領域のシフト量より大きくてもよい。
【００１７】
また、上記第１ターゲットシフト方向と上記第２ターゲットシフト方向が同一である場合、上記固定映像のシフト量が上記メイン領域のシフト量の２倍であってもよい。
【００１８】
また、上記第１シフト制御部は、映像全体を表示パネルの画面より小さくダウンスケーリングして、上記第１ターゲットシフト方向に上記ダウンスケーリングされた映像をシフトすることができる。
【００１９】
また、上記第２シフト制御部は、上記映像全体を上記第２ターゲットシフト方向にシフトしながら、上記画面から外れる部分の映像データをダウンスケーリングし、上記表示パネルのブラック部分の映像データをアップスケーリングすることができる。
【００２０】
また、上記シフト方向決定部は、それぞれのシフト方向に対して設定された原本映像からの限界シフト量と、上記第１予備シフト方向と上記第２予備シフト方向のベクトルの和によって決まる予備シフト量とを比較して、上記第１予備シフト方向及び上記第２予備シフト方向のうち少なくとも１つを反転させるシフト量制御部を含んでもよい。
【００２１】
また、上記予備シフト量が上記限界シフト量を超える場合、上記シフト量制御部は上記限界シフト量のシフト方向と同じ予備シフト方向を反転させることができる。
【００２２】
また、上記シフト方向決定部は、入力映像データを分析して上記映像に含まれる輪郭線（ｃｏｎｔｏｕｒ  ｌｉｎｅ）を検出し、上記輪郭線の横の合計と縦の合計を分析する映像分析部と、上記横の合計と上記縦の合計を比較した結果に基づいて上記第１予備シフト方向と上記第２予備シフト方向を調整する第１調整部と、上記調整された第１予備シフト方向と上記調整された第２シフト方向を比較し、上記調整された第１予備シフト方向と上記調整された第２予備シフト方向が反対方向である場合、上記調整された第１予備シフト方向と上記調整された第２予備シフト方向の何れか１つを反転させる第２調整部と、を含んでもよい。
【００２３】
また、上記横の合計が上記縦の合計より大きい場合、上記第１調整部は上記第１予備シフト方向と上記第２予備シフト方向を縦方向に調整することができる。
【００２４】
また、上記縦の合計が上記横の合計より大きい場合、上記第１調整部は上記第１予備シフト方向と上記第２予備シフト方向を横方向に調整することができる。
【００２５】
また、上記シフト方向決定部は、それぞれのシフト方向に対して設定された限界シフト量と上記第２調整部から出力される予備シフト方向の組み合わせによって決まる予備シフト量とを比較して、上記調整された第１予備シフト方向及び上記調整された第２予備シフト方向のうち少なくとも１つを反転させるシフト量制御部をさらに含んでもよい。
【００２６】
また、上記映像補正部は、入力映像データに基づいて上記固定映像を検出する固定映像検出部をさらに含んでもよい。
【００２７】
また、上記固定映像検出部は、上記固定映像を検出するためのマシンラーニング（ｍａｃｈｉｎｅ  ｌｅａｒｎｉｎｇ）を行う人工知能プログラムを含んでもよい。
【００２８】
本発明の一目的を達成すべく、本発明の実施例による表示装置の駆動方法は、第１シフトシナリオに応じて既設定された第１周期で映像に含まれる固定映像の第１予備シフト方向をアップデートし、第２シフトシナリオに応じて既設定された第２周期で上記固定映像の第２予備シフト方向をアップデートする段階と、上記第１予備シフト方向と上記第２予備シフト方向が反対方向である場合、上記第１予備シフト方向と上記第２予備シフト方向の何れか１つを反転させて第１ターゲットシフト方向と第２ターゲットシフト方向を決める段階と、上記第１ターゲットシフト方向に基づいて第１映像シフトを行う段階と、上記第２ターゲットシフト方向に基づいて第２映像シフトを行う段階と、を含んでもよい。
【００２９】
また、上記第１及び第２ターゲットシフト方向を決める段階は、上記第１予備シフト方向と上記第２予備シフト方向が反対方向ではない場合、上記第１予備シフト方向と上記第２予備シフト方向をそれぞれ上記第１ターゲットシフト方向と上記第２ターゲットシフト方向に決める段階をさらに含んでもよい。
【００３０】
また、上記第１ターゲットシフト方向と上記第２ターゲットシフト方向を決める段階は、入力映像データから輪郭線の横の合計と縦の合計を算出する段階と、上記横の合計と上記縦の合計を比較した結果に基づいて上記第１予備シフト方向と上記第２予備シフト方向を調整する段階と、上記調整された第１予備シフト方向と上記調整された第２予備シフト方向を比較した結果に基づいて上記調整された第１予備シフト方向と上記調整された第２予備シフト方向の何れか１つを再調整する段階と、を含んでもよい。
【００３１】
また、上記第１予備シフト方向と上記第２予備シフト方向を調整する段階は、上記横の合計が上記縦の合計より大きい場合、上記第１及び第２予備シフト方向を縦方向に調整する段階と、上記縦の合計が上記横の合計より大きい場合、上記第１及び第２予備シフト方向を横方向に調整する段階と、を含んでもよい。
【００３２】
また、上記調整された第１予備シフト方向と上記調整された第２予備シフト方向の何れか１つを再調整する段階は、上記調整された第１予備シフト方向と上記調整された第２予備シフト方向が同一である場合、上記調整された第１予備シフト方向と上記調整された第２予備シフト方向をそれぞれ上記第１ターゲットシフト方向と上記第２ターゲットシフト方向に決める段階と、上記調整された第１予備シフト方向と上記調整された第２予備シフト方向が反対である場合、上記調整された第１予備シフト方向と上記調整された第２予備シフト方向の何れか１つを反転させる段階と、を含んでもよい。
【００３３】
また、上記第１ターゲットシフト方向と上記第２ターゲットシフト方向を決める段階は、上記再調整された第１及び第２予備シフト方向のベクトルの和から決まる予備シフト量と既設定された限界シフト量とを比較する段階と、上記予備シフト量が上記限界シフト量を超える場合、上記再調整された第１及び第２予備シフト方向の何れか１つを反転させる段階と、上記予備シフト量が上記限界シフト量以下である場合、上記再調整された第１及び第２予備シフト方向をそれぞれ上記第１及び第２ターゲットシフト方向に決める段階と、をさらに含んでもよい。
【発明の効果】
【００３４】
本発明の実施例による映像補正部、これを含む表示装置及び表示装置の駆動方法は、第１及び第２映像シフト方式が適用される映像の少なくとも一部分のシフト方向が相反する場合、１つの予備シフト方向を反転させることで、映像のシフト量を補強及び／または増加させることができる。従って、画素の劣化分散量を増加させ、特に、固定映像の劣化分散量を増加させることができる。これにより、残像低減のための映像シフトの効果が極大化される。
【００３５】
さらに、本発明の実施例による映像補正部、これを含む表示装置及び表示装置の駆動方法は、限界シフト量の範囲内で、第１及び第２シフトシナリオによる相対的なシフト方向の関係と輪郭線の分布を全て考慮し、シフト方向のアップデート時点ごとに適応的にシフト方向を決めることができる。従って、映像シフトの効果及びこれによる劣化及び残像改善効果を極大化することができる。
【００３６】
但し、本発明の効果は、上述した効果に限定されるものではなく、本発明の思想及び領域から外れない範囲内で多様に拡張できるだろう。
【図面の簡単な説明】
【００３７】
【図１】本発明の実施例による表示装置を示すブロック図である。
【図２】本発明の実施例による映像補正部を示すブロック図である。
【図３ａ】図２の映像補正部に含まれる第１シフト制御部及び第２シフト制御部の動作の一例を示す図である。
【図３ｂ】図２の映像補正部に含まれる第１シフト制御部及び第２シフト制御部の動作の一例を示す図である。
【図４ａ】図２の映像補正部に含まれる第１シフト制御部及び第２シフト制御部の動作の一例を示す図である。
【図４ｂ】図２の映像補正部に含まれる第１シフト制御部及び第２シフト制御部の動作の一例を示す図である。
【図５ａ】図２の映像補正部に含まれるシフト方向決定部の動作の一例を示す図である。
【図５ｂ】図２の映像補正部に含まれるシフト方向決定部の動作の一例を示す図である。
【図５ｃ】図２の映像補正部に含まれるシフト方向決定部の動作の一例を示す図である。
【図５ｄ】図２の映像補正部に含まれるシフト方向決定部の動作の一例を示す図である。
【図６ａ】図２の映像補正部に含まれるシフト方向決定部の動作の一例を示す図である。
【図６ｂ】図２の映像補正部に含まれるシフト方向決定部の動作の一例を示す図である。
【図６ｃ】図２の映像補正部に含まれるシフト方向決定部の動作の一例を示す図である。
【図６ｄ】図２の映像補正部に含まれるシフト方向決定部の動作の一例を示す図である。
【図７ａ】図２の映像補正部に含まれるシフト方向決定部の一例を示す図である。
【図７ｂ】図７ａのシフト方向決定部の動作の一例を説明するための図である。
【図７ｃ】図７ａのシフト方向決定部の動作の一例を説明するための図である。
【図８ａ】表示装置に表示される映像の一例を示す図である。
【図８ｂ】図２の映像補正部に含まれるシフト方向決定部の一例を示す図である。
【図８ｃ】図８ｂのシフト方向決定部の動作の一例を説明するための図である。
【図８ｄ】図８ｂのシフト方向決定部の動作の一例を説明するための図である。
【図９】図２の映像補正部に含まれるシフト方向決定部の一例を示すブロック図である。
【図１０】図２の映像補正部の一例を示すブロック図である。
【図１１】本発明の実施例による表示装置の駆動方法を示すフローチャートである。
【図１２】図１１の表示装置の駆動方法の一例を示すフローチャートである。
【発明を実施するための形態】
【００３８】
以下、添付した図面を参照して本発明の好ましい実施例をより詳細に説明する。図面上の同じ構成要素に対しては同じ参照符号を使用し、同じ構成要素に対する重複した説明は省略する。
【００３９】
図１は、本発明の実施例による表示装置を示すブロック図である。
【００４０】
図１を参照すると、表示装置１は、タイミング制御部１０、表示部パネル２０、走査駆動部３０、データ駆動部４０、発光駆動部５０、及び映像補正部１００を含んでもよい。
【００４１】
一実施例において、映像補正部１００の少なくとも一部の構成は、タイミング制御部１０及び／またはデータ駆動部４０に含まれてもよい。また、映像補正部１００は、別途のハードウェア及び／またはソフトウェアで構成されてもよい。
【００４２】
一実施例において、表示装置１は、複数の有機発光素子を含む有機発光表示装置で実現されてもよい。但し、これは例示的なものであり、表示装置１は、液晶表示装置、プラズマ表示装置、量子ドット表示装置などで実現されてもよい。
【００４３】
表示パネル２０は複数の画素Ｐを備えてもよい。表示パネル２０は複数の走査線ＳＬ１〜ＳＬｎを介して走査駆動部３０に接続されてもよく、複数の発光制御線ＥＬ１〜ＥＬｎを介して発光駆動部５０に接続されてもよく、複数のデータ線ＤＬ１〜ＤＬｍを介してデータ駆動部４０に接続されてもよい。このとき、表示パネル２０は、データ線ＤＬ１〜ＤＬｍにそれぞれ接続されたｍ個（ｍは正の整数）の画素列、及び走査線ＳＬ１〜ＳＬｎと発光制御線ＥＬ１〜ＥＬｎにそれぞれ接続されたｎ個（ｎは正の整数）の画素行を含んでもよい。表示パネル２０は、外部から受信した入力映像データＩＤＡＴＡまたは映像補正部１００によって補正映像データＣＤＡＴＡに基づいてシフトされた映像を表示することができる。
【００４４】
表示パネル２０は、実質的な映像情報を含むメイン映像と固定映像を表示することができる。固定映像は高輝度（高階調）で一定時間以上表示される領域であってもよい。例えば、固定映像は、放送局のロゴ等のロゴ映像、字幕、日付、時刻などを含んでもよい。
【００４５】
表示パネル２０がナビゲーション映像またはＧＰＳ映像を表示する場合、固定映像は、表示パネル２０の中央側に表示されるユーザーの現在位置の映像であってもよい。
【００４６】
走査駆動部３０は、複数の走査線ＳＬ１〜ＳＬｎを介して表示部パネル２０に走査信号を提供することができる。一実施例において、走査線ＳＬ１〜ＳＬｎのそれぞれは、表示パネル２０のそれぞれの画素行に位置する画素Ｐに接続されてもよい。
【００４７】
データ駆動部４０は、走査信号に応じて複数のデータ線ＤＬ１〜ＤＬｍを介して表示パネル２０にデータ信号を提供することができる。一実施例において、データ駆動部４０は、補正映像データＣＤＡＴＡに相応するデータ信号を生成し、上記データ信号を表示パネル２０に提供することができる。一実施例において、データ線ＤＬ１〜ＤＬｍのそれぞれは、表示パネル２０のそれぞれの画素列に位置する画素Ｐに接続されてもよい。
【００４８】
発光駆動部５０は、複数の発光制御線ＥＬ１〜ＥＬｎを介して表示パネル２０に発光制御信号を提供することができる。一実施例において、発光制御線ＥＬ１〜ＥＬｎのそれぞれは、表示パネル２０のそれぞれの画素行に位置する画素Ｐに接続されてもよい。
【００４９】
タイミング制御部１０は、複数の制御信号ＳＣＳ、ＤＣＳ、ＥＣＳを生成して走査駆動部３０及びデータ駆動部４０に提供し、走査駆動部３０、データ駆動部４０、及び発光駆動部５０を制御することができる。タイミング制御部１０は、外部のグラフィック機器のような画像ソースから入力制御信号及び入力映像データＩＤＡＴＡを受信することができる。入力制御信号は、メインクロック信号、垂直同期信号、水平同期信号及びデータイネーブル信号を含んでもよい。タイミング制御部１０は、入力映像データＩＤＡＴＡに基づいて表示パネル２０の動作条件に合う映像データを生成してデータ駆動部４０に提供することができる。また、タイミング制御部１０は、走査駆動部３０の駆動タイミングを制御するための第１制御信号ＳＣＳ、データ駆動部４０の駆動タイミングを制御するための第２制御信号ＤＣＳ、及び発光駆動部５０の駆動タイミングを制御するための第３制御信号ＥＣＳを生成して、それぞれ走査駆動部３０、データ駆動部４０、及び発光駆動部５０に提供することができる。一実施例において、映像補正部１００はタイミング制御部１０の内部に含まれてもよい。他の実施例において、映像補正部１００はタイミング制御部１０に接続されて配置されてもよい。
【００５０】
長時間同じ画素Ｐを介して表示されるロゴなどの固定映像による残像の発生を防ぐために、表示パネル２０上において映像がシフトされて表示されてもよい。
【００５１】
映像補正部１００は、既設定された周期で入力映像データＩＤＡＴＡ及び映像をシフトすることができる。映像補正部１００は固定映像のシフト効果を極大化し、固定映像の劣化を最小化するために、異なる２つの映像シフト方式（第１映像シフト及び第２映像シフト）を組み合わせて映像をシフトすることができる。
【００５２】
一実施例において、映像補正部１００は、第１シフトシナリオに応じて、既設定された第１周期で映像に含まれる固定映像の第１予備シフト方向をアップデートし、第２シフトシナリオに応じて、既設定された第２周期で固定映像の第２予備シフト方向をアップデートするシフト経路アップデート部と、第１予備シフト方向と第２予備シフト方向を比較した結果に基づいて第１予備シフト方向と第２予備シフト方向をそれぞれ第１ターゲットシフト方向と第２ターゲットシフト方向に補正するシフト方向決定部と、第１ターゲットシフト方向に基づいて第１映像シフトを行う第１シフト制御部と、第２ターゲットシフト方向に基づいて第２映像シフトを行う第２シフト制御部と、を含んでもよい。
【００５３】
図２は、本発明の実施例による映像補正部を示すブロック図である。
【００５４】
図１及び図２を参照すると、映像補正部１００は、シフト経路アップデート部１２０、シフト方向決定部１４０、第１シフト制御部１６０、及び第２シフト制御部１８０を含んでもよい。
【００５５】
映像補正部１００は、入力映像データＩＤＡＴＡとフレームカウントＦＲＣを利用して補正映像データＣＤＡＴＡを生成することができる。ここで、補正映像データＣＤＡＴＡは、第１シフト制御部１６０から出力される映像シフトデータと第２シフト制御部１８０から出力される映像シフトデータの組み合わせから生成されてもよい。例えば、第１シフト制御部１６０による映像シフトデータと第２シフト制御部１８０による映像シフトデータのベクトルの和で補正映像データＣＤＡＴＡが生成されてもよい。例えば、補正映像データＣＤＡＴＡは、入力映像データＩＤＡＴＡによる原本映像を所定の方向にシフト（移動）させるシフト映像データであってもよい。
【００５６】
シフト経路アップデート部１２０は、第１シフトシナリオＳＳ１に応じて、既設定された第１周期で第１予備シフト方向ＰＳＤ１をアップデートしてもよい。第１予備シフト方向ＰＳＤ１は、表示パネル２０に表示される全体映像に適用されてもよく、一部の映像のみに適用されてもよい。一実施例において、第１シフトシナリオＳＳ１は、第１シフト制御部１６０の動作に用いられてもよい。
【００５７】
シフト方向は、表示パネル２０においてＸ軸方向（横方向）またはＹ軸方向（縦方向）に決定されてもよい。但し、これは例示的なものであり、予備シフト方向による映像の移動は、Ｘ軸とＹ軸に対する対角線方向であってもよい。
【００５８】
一実施例において、第１予備シフト方向ＰＳＤ１は、固定映像の位置に影響を与えることができる。固定映像は、放送局、ブランドなどのロゴ映像を含んでもよい。但し、これは例示的なものであり、固定映像は、表示画面の特定領域に、高輝度で長時間持続的に表示される全ての映像を含んでもよい。
【００５９】
シフト経路アップデート部１２０は、第２シフトシナリオＳＳ２に応じて、既設定された第２周期で第２予備シフト方向ＰＳＤ２をアップデートしてもよい。第２予備シフト方向ＰＳＤ２は表示パネル２０に表示される全体映像に適用されてもよく、一部の映像のみに適用されてもよい。例えば、第２予備シフト方向ＰＳＤ２は、固定映像の位置に影響を与えることができる。一実施例において、第２シフトシナリオＳＳ２は、第２シフト制御部１８０の動作に用いられてもよい。
【００６０】
第１及び第２シフトシナリオＳＳ１、ＳＳ２は、所定のメモリ等に保存されるか、保存されたルックアップテーブルから抽出されてもよい。または、第１及び第２シフトシナリオＳＳ１、ＳＳ２は、フレームカウントＦＲＣに応答してシフト方向を決める所定のソフトウェアまたはハードウェアで実現されてもよい。
【００６１】
フレームカウントＦＲＣは映像が表示されるフレームの個数を含み、これは映像表示時間に対応することができる。初期のシフト方向及びシフト量は、第１及び第２シフトシナリオＳＳ１、ＳＳ２によるシフト量及びシフト方向によって決まってもよい。
【００６２】
一実施例において、第１周期と第２周期は同一であってもよい。第１及び第２シフトシナリオＳＳ１、ＳＳ２は、同じ周期で第１及び第２予備シフト方向ＰＳＤ１、ＰＳＤ２を変更することができる。例えば、第１及び第２予備シフト方向ＰＳＤ１、ＰＳＤ２は、約４秒間隔でアップデートされてもよい。
【００６３】
一実施例において、第１周期と第２周期は異なってもよい。第１周期が第２周期より長くてもよく、第２周期が第１周期より長くてもよい。例えば、第２周期が第１周期の１／２、１／３、または１／４であってもよい。または、第１周期と第２周期は互いに素の関係であってもよい。
【００６４】
シフト方向決定部１４０は、第１予備シフト方向ＰＳＤ１と第２予備シフト方向ＰＳＤ２を比較した結果に基づいて、第１予備シフト方向ＰＳＤ１と第２予備シフト方向ＰＳＤ２をそれぞれ第１ターゲットシフト方向ＴＳＤ１と第２ターゲットシフト方向ＴＳＤ２に補正することができる。
【００６５】
一実施例において、第１予備シフト方向ＰＳＤ１と第２予備シフト方向ＰＳＤ２が反対方向である場合、シフト方向決定部１４０は、第１予備シフト方向ＰＳＤ１と第２予備シフト方向ＰＳＤ２の何れか１つを反転させることができる。即ち、第１予備シフト方向ＰＳＤ１と第２予備シフト方向ＰＳＤ２の何れか１つが正反対の方向に補正されることができる。第１予備シフト方向ＰＳＤ１が反転される場合、反転された第１予備シフト方向ＰＳＤ１が第１ターゲットシフト方向ＴＳＤ１に決まり、第２予備シフト方向ＰＳＤ２が第２ターゲットシフト方向ＴＳＤ２に決まってもよい。
【００６６】
逆に、第１予備シフト方向ＰＳＤ１と第２予備シフト方向ＰＳＤ２が反対方向である場合、シフト方向決定部１４０は、第１予備シフト方向ＰＳＤ１と第２予備シフト方向ＰＳＤ２をそれぞれ第１ターゲットシフト方向ＴＳＤ１と第２ターゲットシフト方向ＴＳＤ２に決めてもよい。
【００６７】
第１ターゲットシフト方向ＴＳＤ１と第２ターゲットシフト方向ＴＳＤ２が同一である場合、固定映像のシフト量が他の部分の映像のシフト量より大きくてもよい。例えば、固定映像のシフト量が他の部分の映像のシフト量の２倍であってもよい。これにより、映像シフト効果及び固定映像による劣化及び残像改善効果が大きく改善されることができる。
【００６８】
映像シフト及び残像改善を極大化するために、２つの方式のシフトアルゴリズムを一緒に用いてもよい。
【００６９】
第１シフト制御部１６０は、第１ターゲットシフト方向ＴＳＤ１に基づいて、入力映像データＩＤＡＴＡに対する第１映像シフトを行ってもよい。第１シフト制御部１６０は、第１映像シフト動作を利用して第１補正映像データＣＤＡＴＡ１を出力することができる。第１補正映像データＣＤＡＴＡ１は、全体の映像または映像の所定領域のシフト量の情報及びシフト方向の情報を含んでもよい。
【００７０】
第２シフト制御部１８０は、第２ターゲットシフト方向ＴＳＤ２に基づいて、入力映像データＩＤＡＴＡに対する第２映像シフトを行ってもよい。第２シフト制御部１８０は、第２映像シフト動作を利用して第２補正映像データＣＤＡＴＡ２を出力することができる。第２補正映像データＣＤＡＴＡ２は、全体の映像または映像の所定領域のシフト量の情報及びシフト方向の情報を含んでもよい。
【００７１】
第１補正映像データＣＤＡＴＡ１と第２補正映像データＣＤＡＴＡ２の組み合わせにより、該当フレームの補正映像データＣＤＡＴＡが生成されることができる。
【００７２】
一実施例において、第１シフト制御部１６０は、映像全体を表示パネルの画面より小さくダウンスケーリングすることができる。第１シフト制御部１６０は、縮小された映像を第１ターゲットシフト方向ＴＳＤ１にシフトすることができる。例えば、第１補正映像データＣＤＡＴＡ１は、ターゲットシフト方向ＴＳＤ１によってシフトされた映像データ及びダウンスケーリングされた一部の映像データを含んでもよい。即ち、第１シフト制御部１６０は、バウンダリシフト（ｂｏｕｎｄａｒｙ  ｓｈｉｆｔ）方式で動作することができる。
【００７３】
この場合、第２シフト制御部１８０は、映像全体を上記第２ターゲットシフト方向ＴＳＤ２にシフトしながら、表示パネル２０の画面から外れる部分の映像データをダウンスケーリングし、上記表示パネルのブラック部分の映像データをアップスケーリングすることができる。例えば、第２シフト制御部１８０は、インターナルシフト（ｉｎｔｅｒｎａｌ  ｓｈｉｆｔ）方式で動作することができる。
【００７４】
一実施例において、第１シフト制御部１６０は、映像のメイン領域または映像全体を第１ターゲットシフト方向ＴＳＤ１にシフトすることができる。例えば、第１シフト制御部１６０は、第１ターゲットシフト方向に対応してアップスケーリング領域とダウンスケーリング領域を決めることができる。例えば、第１シフト制御部１６０は、グローバルシフト（ｇｌｏｂａｌ  ｓｈｉｆｔ）方式で動作することができる。
【００７５】
この場合、第２シフト制御部１８０は、固定映像を第２ターゲットシフト方向ＴＳＤ２にシフトすることができる。即ち、第２シフト制御部１８０は、固定映像を含む映像の一部領域のみのシフトを制御することができる。例えば、第２シフト制御部１８０は、ローカルシフト（ｌｏｃａｌ  ｓｈｉｆｔ）方式で動作することができる。
【００７６】
但し、これは例示的なものであり、第１シフト制御部１６０と第２シフト制御部１８０の駆動方式はこれに限定されない。また、第１及び第２シフト制御部１６０、１８０のそれぞれで算出された補正映像データＣＤＡＴＡ１、ＣＤＡＴＡ２が組み合わせられることにより、表示パネル２０に最終的にシフトされた映像が表示されることができる。例えば、それぞれの画素に対する補正映像データＣＤＡＴＡ１、ＣＤＡＴＡ２のベクトルの和により映像がシフトされてもよい。
【００７７】
図３ａ及び図３ｂは、図２の映像補正部に含まれる第１シフト制御部及び第２シフト制御部の動作の一例を示す図である。
【００７８】
図１〜図３ｂを参照すると、第１シフト制御部１６０及び第２シフト制御部１８０は、それぞれ第１シフトシナリオＳＳ１及び第２シフトシナリオＳＳ２に応じて映像をシフトすることができる。
【００７９】
一実施例において、映像ＩＭは、ロゴなどを含む固定映像ＦＩを含んでもよい。図３ａ及び図３ｂには、固定映像ＦＩが映像ＩＭの右上に表示されることが示されているが、固定映像ＦＩの位置はこれに限定されるものではない。例えば、ナビゲーション画面の場合、ユーザーの現在位置の映像が固定映像ＦＩとして分析されることができ、固定映像ＦＩは映像ＩＭの中央に位置することもできる。
【００８０】
一実施例において、第１シフト制御部１６０は、固定映像ＦＩを含むメイン映像ＭＩを第１シフトシナリオＳＳ１に応じてシフトしてもよい。メイン映像ＭＩは、第１周期ごとにＸ軸方向ＸまたはＹ軸方向Ｙに１画素ずつ移動することができる。図３ａに示したように、メイン映像ＭＩは、螺旋状の経路でシフトされ、時計回りまたは反時計回りに動くことができる。
【００８１】
但し、シフト方向決定部１４０によって第１シフトシナリオＳＳ１が補正されてもよい。これにより、第１シフト制御部１６０は、第１ターゲットシフト方向ＴＳＤ１に沿ってメイン映像ＭＩをシフトすることができる。
【００８２】
例えば、第１シフト制御部１６０は、第１ターゲットシフト方向ＴＳＤ１に対応して映像データのスケーリングを行ってもよい。例えば、第１シフト制御部１６０は、映像ＩＭの端領域に相応する入力映像データＩＤＡＴＡをアップスケーリングまたはダウンスケーリングして映像シフト効果を実現してもよい。
【００８３】
アップスケーリング領域ではは映像が拡大され、ダウンスケーリング領域では映像が縮小される効果を有することができる。即ち、メイン映像ＭＩは、映像データがアップスケーリングされるアップスケーリング領域からダウンスケーリング領域の方向にシフトされることができる。
【００８４】
例えば、メイン映像ＭＩが右側に移動する場合、左側のスケーリング領域ＨＳＡ１でアップスケーリングが行われ、右側のスケーリング領域ＨＳＡ２でダウンスケーリングが行われてもよい。メイン映像ＭＩが下側に移動する場合、上側のスケーリング領域ＶＳＡ１でアップスケーリングが行われ、下側のスケーリング領域ＶＳＡ２でダウンスケーリングが行われてもよい。
【００８５】
第２シフト制御部１８０は、第１シフト制御部１６０と実質的に同じ方法で映像シフトを行うことができる。但し、第２シフト制御部１８０は、固定映像ＦＩを含む局所部分に対して映像スケーリング及びシフトを行うことができる。
【００８６】
例えば、第２シフト制御部１８０は、固定映像ＦＩの周辺の既設定された周辺領域ＦＢＡに対してアップスケーリング領域とダウンスケーリング領域を決めることにより、固定映像ＦＩをシフトすることができる。即ち、周辺領域ＦＢＡのスケーリング領域ＨＬＳＡ１、ＨＬＳＡ２、ＶＬＳＡ１、ＶＬＳＡ２に含まれる映像データのスケーリングにより固定映像ＦＩがシフトされることができる。
【００８７】
このように、一実施例における第１及び第２シフト制御部１６０、１８０は、それぞれ映像データのスケーリングを利用したグローバルシフト制御方式及びローカルシフト制御方式で映像シフトを行うことができる。
【００８８】
固定映像ＦＩには、第１シフト制御部１６０と第２シフト制御部１８０によるシフト効果が重複して適用されてもよい。
【００８９】
図４ａ及び図４ｂは、図２の映像補正部に含まれる第１シフト制御部及び第２シフト制御部の動作の一例を示す図である。
【００９０】
図１、図２、図４ａ及び図４ｂを参照すると、第１シフト制御部１６０及び第２シフト制御部１８０は、それぞれ第１シフトシナリオＳＳ１及び第２シフトシナリオＳＳ２に応じて映像をシフトすることができる。
【００９１】
一実施例において、図４ａに示したように、第１シフト制御部１６０は、映像ＩＭ全体を表示パネル２０の画面より小さくダウンスケーリングＤＳして、ダウンスケーリングされた映像ＤＩＭをシフトすることができる。ダウンスケーリングされた映像ＤＩＭは、第１シフトシナリオＳＳ１に応じてシフトされてもよい。但し、シフト方向決定部１４０によって第１シフトシナリオＳＳ１が第１ターゲットシフト方向ＴＳＤ１に修正されることができる。この場合、ダウンスケーリングされた映像ＤＩＭは、第１ターゲットシフト方向ＴＳＤ１に沿ってシフトされてもよい。
【００９２】
ダウンスケーリングされた映像ＤＩＭによって映像ＩＭの外郭にブラック映像が視認されることができる。このような視認性不良を改善するために、第２シフト制御部１８０が映像補正及びシフト動作をさらに行ってもよい。
【００９３】
第２シフト制御部１８０は、映像ＩＭ全体を第２ターゲットシフト方向ＴＳＤ１にシフトしながら、画面から外れる部分の映像データをダウンスケーリングＤＳし、ブラック部分の映像データをアップスケーリングＵＳすることができる。このため、スケーリング及びシフトによって映像が見えない部分と映像が消失されてブラック映像が表示される部分が除去されることができる。
【００９４】
映像ＩＭは、映像データがアップスケーリングされるアップスケーリング領域からダウンスケーリング領域の方向にシフトされてもよい。
【００９５】
図４ａ及び図４ｂによるシフト方式では、映像ＩＭの中央部分において第１シフト制御部１６０と第２シフト制御部１８０によるシフト効果が重複して適用されてもよい。図４ａ及び図４ｂのシフト方式は、ナビゲーション画面などのように映像ＩＭの中央に固定映像が表示される画面に主に適用されることができる。
【００９６】
一実施例において、固定映像ＦＩの位置に応じて第１及び第２シフト制御部１６０、１８０の動作方式が選択されてもよい。例えば、固定映像ＦＩが映像ＩＭの外郭に位置する場合、第１及び第２シフト制御部１６０、１８０は、図３ａ及び図３ｂのシフト方式を使用することができる。一方、固定映像ＦＩが映像ＩＭの中央部分に位置する場合、第１及び第２シフト制御部１６０、１８０は、図４ａ及び図４ｂのシフト方式を使用することができる。
【００９７】
一実施例において、映像補正部１００は、入力映像データＩＤＡＴＡを分析して固定映像ＦＩを検出する固定映像検出部をさらに含んでもよい。固定映像検出部の検出結果に基づいて、第１及び第２シフト制御部１６０、１８０の動作方式が選択されてもよい。
【００９８】
一方、図３ａ〜図４ｂを参照して説明した内容は、第１及び第２シフト制御部１６０、１８０がそれぞれ第１及び第２ターゲットシフト方向ＴＳＤ１、ＴＳＤ２に対応して映像をシフトする方式の一例を説明したに過ぎず、第１及び第２ターゲットシフト方向ＴＳＤ１、ＴＳＤ２に対応する映像を表示する方式または映像データを補正する方式は、これに限定されない。
【００９９】
図５ａ〜図５ｄは、図２の映像補正部に含まれるシフト方向決定部の動作の一例を示す図である。
【０１００】
図１、図２、図５ａ〜図５ｄを参照すると、シフト方向決定部１４０は、第１予備シフト方向ＰＳＤ１と第２予備シフト方向ＰＳＤ２を比較した結果に基づいて、第１予備シフト方向ＰＳＤ１と第２予備シフト方向ＰＳＤ２をそれぞれ第１ターゲットシフト方向ＴＳＤ１と第２ターゲットシフト方向ＴＳＤ２に補正することができる。
【０１０１】
シフト経路アップデート部１２０は、第１周期に対応して第１予備シフト方向ＰＳＤ１を出力し、第２周期に対応して第２予備シフト方向ＰＳＤ２を出力することができる。この場合、所定の時点で第１予備シフト方向ＰＳＤ１と第２予備シフト方向ＰＳＤ２が反対の場合が発生する。
【０１０２】
例えば、図５ａ及び図５ｂに示したように、第１時点Ｔ１に第２予備シフト方向ＰＳＤ２が第１予備シフト方向ＰＳＤ１の反対方向にアップデートされることができる。
【０１０３】
図５ｂには、第１シフトシナリオＳＳ１に応じてアップデートされる第１予備シフト方向ＰＳＤ１、第２シフトシナリオＳＳ２に応じてアップデートされる第２予備シフト方向ＰＳＤ２、及びシフト方向決定部１４０の動作なしに第１及び第２予備シフト方向ＰＳＤ１、ＰＳＤ２に沿ってメイン映像ＭＩ及び固定映像ＦＩがそれぞれシフトされる一例を示した。
【０１０４】
図５ｂ以下において、（１，０）は、原本映像がＸ軸方向Ｘに１画素分だけ移動（即ち、右側に１画素移動）した位置を意味し、（−１，０）は、原本映像がＸ軸方向Ｘに−１画素分だけ移動（即ち、左側に１画素移動）した位置を意味してもよい。また、（０，１）は、原本映像がＹ軸方向Ｙに１画素分だけ移動（即ち、上側に１画素移動）した位置を意味し、（０，−１）は、原本映像がＹ軸方向Ｙに−１画素分だけ移動（即ち、下側に１画素移動）した位置を意味してもよい。
【０１０５】
一実施例において、メイン映像ＭＩは、第１シフト制御部１６０（第１予備シフト方向ＰＳＤ１または第１ターゲットシフト方向ＴＳＤ１）の影響を受けることができる。従って、図５ｂにおいて、メイン映像ＭＩは、第１予備シフト方向ＰＳＤ１に沿ってシフトされてもよい。
【０１０６】
一実施例において、固定映像ＦＩは、第１シフト制御部１６０（第１予備シフト方向ＰＳＤ１または第１ターゲットシフト方向ＴＳＤ１）と第２シフト制御部１８０（第２予備シフト方向ＰＳＤ２または第２ターゲットシフト方向ＴＳＤ２）の両方の影響を受けることができる。従って、固定映像ＦＩは、第１予備シフト方向ＰＳＤ１と第２予備シフト方向ＰＳＤ２の組み合わせによってシフトされてもよい。
【０１０７】
以下、第１シフト制御部１６０はグローバルシフト方式で動作し、第２シフト制御部１８０はローカルシフト方式で動作することを前提として説明する。但し、これは例示に過ぎず、第１及び第２シフト制御部１６０、１８０はこれに限定されない。例えば、第１及び第２シフト制御部１６０、１８０は公知の如何なる方式で動作してもよい。
【０１０８】
第１時点Ｔ１において、第１予備シフト方向ＰＳＤ１は（１，０）であり、第２予備シフト方向ＰＳＤ２は（−１，０）である。このため、固定映像ＦＩのシフト効果が相殺されることができる。即ち、第１時点Ｔ１では固定映像ＦＩがシフトされない。この後の時間にも第１予備シフト方向ＰＳＤ１と第２予備シフト方向ＰＳＤ２の組み合わせによって固定映像ＦＩのシフト量がメイン映像ＭＩのシフト量より少なくなる。
【０１０９】
このような問題点を改善するために、シフト方向決定部１４０が第１予備シフト方向ＰＳＤ１と第２予備シフト方向ＰＳＤ２のうち少なくとも１つを補正することができる。
【０１１０】
一実施例において、シフト方向決定部１４０は、第１予備シフト方向ＰＳＤ１がアップデートされる時点と第２予備シフト方向ＰＳＤ２がアップデートされる時点に、第１予備シフト方向ＰＳＤ１と第２予備シフト方向ＰＳＤ２を比較することができる。シフト方向決定部１４０は、上記比較結果に基づいて、第１及び第２ターゲットシフト方向ＴＳＤ１、ＴＳＤ２を出力することができる。
【０１１１】
第１予備シフト方向ＰＳＤ１と第２予備シフト方向ＰＳＤ２が反対である場合、シフト方向決定部１４０は、第１予備シフト方向ＰＳＤ１と第２予備シフト方向ＰＳＤ２の何れか１つを反転させることができる。第１予備シフト方向ＰＳＤ１と第２予備シフト方向ＰＳＤ２が反対方向ではない場合、シフト方向決定部１４０は、第１予備シフト方向ＰＳＤ１と第２予備シフト方向ＰＳＤ２をそれぞれ第１ターゲットシフト方向ＴＳＤ１と第２ターゲットシフト方向ＴＳＤ２に決めることができる。
【０１１２】
図５ｃ及び図５ｄには、シフト方向決定部１４０によって出力された第１及び第２ターゲットシフト方向ＴＳＤ１、ＴＳＤ２を示した。
【０１１３】
第１時点Ｔ１で第１予備シフト方向ＰＳＤ１と第２予備シフト方向ＰＳＤ２が反対であるため、第２予備シフト方向ＰＳＤ２を反転することができる。反転された第２予備シフト方向ＰＳＤ２によって第１時点Ｔ１で第２ターゲットシフト方向ＴＳＤ２を（１，０）に決めることができる。
【０１１４】
但し、これは例示に過ぎず、第２予備シフト方向ＰＳＤ２ではない第１予備シフト方向ＰＳＤ１が反転されてもよい。
【０１１５】
これにより、第１時点Ｔ１で固定映像ＦＩはＸ軸方向Ｘに２画素シフトされることができる。固定映像ＦＩのシフト量がメイン映像ＭＩのシフト量より大きくてもよい。
【０１１６】
このように、第１及び第２映像シフト方式が適用される映像の少なくとも一部のシフト方向が相反する場合、シフト方向決定部１４０が１つの予備シフト方向を反転させることにより、映像のシフト量を補強及び／または増加することができる。従って、画素の劣化分散量を増加させ、特に、固定映像ＦＩの劣化分散量を増加させることができる。これにより、残像低減のための映像シフト効果を極大化することができる。
【０１１７】
但し、これは例示に過ぎず、シフト方向決定部１４０の駆動及びシフト方向を変化させる駆動は、シフト方向が相反するときのみならず、異なる２つ以上のシフト方式が映像に複合的に適用されるときシフト量が極大化されるように適用されてもよい。
【０１１８】
図６ａ〜図６ｄは、図２の映像補正部に含まれるシフト方向決定部の動作の一例を示す図である。
【０１１９】
図６ａ〜図６ｄにおいて、図５ａ〜図５ｄを参照して説明した構成要素に対しては同じ参照符号を使用し、当該構成要素に対する重複説明は省略する。
【０１２０】
図２及び図６ａ〜図６ｄを参照すると、シフト方向決定部１４０は、第１予備シフト方向ＰＳＤ１と第２予備シフト方向ＰＳＤ２を比較した結果に基づいて、第１予備シフト方向ＰＳＤ１または第２予備シフト方向ＰＳＤ２を反転させることができる。
【０１２１】
一実施例において、第１予備シフト方向ＰＳＤ１がアップデートされる第１周期と第２予備シフト方向ＰＳＤ２がアップデートされる第２周期が同一であってもよい。
【０１２２】
図６ａに示したように、第１予備シフト方向ＰＳＤ１と第２予備シフト方向ＰＳＤ２が正反対であってもよい。シフト方向決定部１４０がなければ、所定の領域（例えば、固定映像ＦＩ）ではシフト効果が相殺される。図６ａには、シフト効果が相殺される領域が固定映像ＦＩと示されているが、これに限定されるものではない。例えば、シフト効果が相殺される領域は、全体映像ＭＩのうち第１シフト制御部１６０の映像シフト及び第２シフト制御部１８０の映像シフトの影響を全て受ける領域を含む。
【０１２３】
図６ｂに示したように、第１予備シフト方向ＰＳＤ１と第２予備シフト方向ＰＳＤ２が反対である場合、第２予備シフト方向ＰＳＤ２が反転されて第２ターゲットシフト方向ＴＳＤ２に決まることができる。このとき、第１予備シフト方向ＰＳＤ１は変化せず、第１ターゲットシフト方向ＴＳＤ１に決まることができる。これにより、第１及び第２ターゲットシフト方向ＴＳＤ１、ＴＳＤ２が全て適用される固定映像ＦＩのシフト量が第１ターゲットシフト方向ＴＳＤ１のみが適用されるメイン映像ＭＩのシフト量より大きくなる。例えば、図６ｂ及び図６ｃに示したように、固定映像ＦＩのシフト量がメイン映像ＭＩのシフト量の２倍であってもよい。
【０１２４】
但し、これは例示的なものであって、第１及び第２ターゲットシフト方向ＴＳＤ１、ＴＳＤ２が全て適用される映像が固定映像に限定されるものではない。例えば、映像ＩＭ全体において、第１及び第２ターゲットシフト方向ＴＳＤ１、ＴＳＤ２が全て適用される部分を第１映像領域と定義し、第１ターゲットシフト方向ＴＳＤ１のみが適用される部分を第２映像領域と定義することができる。
【０１２５】
一実施例において、図６ｄに示したように、第１予備シフト方向ＰＳＤ１と第２予備シフト方向ＰＳＤ２が反対である場合、第１予備シフト方向ＰＳＤ１が反転されて第１ターゲットシフト方向ＴＳＤ１に決まる。この場合、メイン映像ＭＩ及び固定映像ＦＩは図６ｃによるシフト方向とは反対方向にシフトされる。
【０１２６】
このように、第１シフトシナリオＳＳ１と第２シフトシナリオＳＳ２によりシフト効果が相殺または低減される場合、シフト方向決定部１４０が１つの予備シフト方向を反転させることにより、映像のシフト量を補強及び／または増加することができる。従って、画素の劣化分散量を増加させ、特に、固定映像ＦＩの劣化分散量を増加することができる。これにより、残像低減のための映像シフト効果を極大化することができる。
【０１２７】
図７ａは図２の映像補正部に含まれるシフト方向決定部の一例を示した図であり、図７ｂ及び図７ｃは図７ａのシフト方向決定部の動作の一例を説明するための図である。
【０１２８】
図２、図７ａ〜図７ｃを参照すると、シフト方向決定部１４０Ａは、シフト量制御部１４５を含んでもよい。
【０１２９】
シフト量制御部１４５は、原本映像からの限界シフト量ＬＳＡと予備シフト量を比較して、第１予備シフト方向ＰＳＤ１及び第２予備シフト方向ＰＳＤ２のうち少なくとも１つを反転させることができる。
【０１３０】
限界シフト量ＬＳＡは、それぞれのシフト方向に対して設定された原本映像からの最大シフト量であってもよい。例えば、限界シフト量ＬＳＡは、Ｘ軸方向Ｘに＋／−１０画素、Ｙ軸方向Ｙに＋／−１５画素と設定されることができる。即ち、原本映像は左右に１０画素、上下に１５画素まで移動することができる。但し、これは例示に過ぎず、限界シフト量ＬＳＡがこれに限定されるものではない。例えば、Ｘ軸方向Ｘへの限界シフト量とＹ軸方向Ｙへの限界シフト量が同一であってもよい。
【０１３１】
予備シフト量は、第１予備シフト方向ＰＳＤ１と第２予備シフト方向ＰＳＤ２の組み合わせによって決まるＸ軸方向Ｘへの純粋なシフト量及びＹ軸方向Ｙへの純粋なシフト量であってもよい。例えば、第１予備シフト方向ＰＳＤ１と第２予備シフト方向ＰＳＤ２のベクトルの和によって決まってもよい。
【０１３２】
または、予備シフト量は、第１ターゲットシフト方向ＴＳＤ１と第２ターゲットシフト方向ＴＳＤ２の組み合わせによって決まるＸ軸方向Ｘへの純粋なシフト量及びＹ軸方向Ｙへの純粋なシフト量であってもよい。即ち、第１ターゲットシフト方向ＴＳＤ１と第２ターゲットシフト方向ＴＳＤ２を算出した後、これを利用して予備シフト量を算出することができる。この場合、第１及び第２ターゲットシフト方向ＴＳＤ１、ＴＳＤ２は、最終出力の前にシフト量制御部１４５によってさらに検証及び補正されることができる。
【０１３３】
一実施例において、予備シフト量が限界シフト量ＬＳＡを超える場合、シフト量制御部１４５は、限界シフト量ＬＳＡのシフト方向と同じ予備シフト方向を反転（即ち、ＰＳＤ１’、ＰＳＤ２’で表示される）させることができる。予備シフト量が限界シフト量ＬＳＡ以下である場合には、第１及び第２予備シフト方向ＰＳＤ１、ＰＳＤ２が第１及び第２ターゲットシフト方向ＴＳＤ１、ＴＳＤ２に決まるか、既算出された第１及び第２ターゲットシフト方向ＴＳＤ１、ＴＳＤ２がそのまま出力されることができる。
【０１３４】
例えば、図７ｂに示したように、第１及び第２予備シフト方向ＰＳＤ１、ＰＳＤ２のアップデートにより、第１映像ＩＭ１及び第２映像ＩＭ２は持続的に右側にシフトされることができる。
【０１３５】
ここで、第１映像ＩＭ１と第２映像ＩＭ２は、それぞれ表示パネルに表示される映像の少なくとも一部分であってもよい。例えば、第２映像ＩＭ２は、第１映像ＩＭ１の一部に含まれてもよい。または、第１映像ＩＭ１と第２映像ＩＭ２は互いに離隔されて表示される映像であってもよい。第１映像ＩＭ１は第１シフト制御部１６０の動作によってシフトされる映像であり、第２映像ＩＭ２は第１シフト制御部１６０及び第２シフト制御部１８０の動作によってシフトされる映像であってもよい。
【０１３６】
従って、第１映像ＩＭ１は第１周期間隔で右側に１画素ずつ移動し、第２映像ＩＭ２は第１周期及び第２周期ごとに右側に１画素ずつ移動することができる。
【０１３７】
第１時点Ｔ１で、第１シフト制御部１６０は第１映像ＩＭ１及び第２映像ＩＭ２を右側に４画素移動させ、第２シフト制御部１８０は第２映像ＩＭ２を右側に３画素移動させることができる。これにより、第１時点Ｔ１で、第２映像ＩＭ２は原本映像から右側に７画素移動されて表示されることができる。
【０１３８】
このように、第１及び第２シフト制御部１６０、１８０の同時適用によるシフト補強により第２映像ＩＭ２が過度にシフトされる恐れがある。一方向へのシフト量が過度な場合、映像シフトがユーザーに認知されるか、映像の歪みが発生する可能性がある。
【０１３９】
シフト量制御部１４５は、限界シフト量ＬＳＡを設定してシフト量を制御することができる。例えば、図７ｃに示したように、限界シフト量ＬＳＡは、上下左右それぞれ６画素と設定されてもよい。第１及び第２予備シフト方向ＰＳＤ１、ＰＳＤ２によると、第１時点Ｔ１で第２映像ＩＭ２のシフト量が７画素となるため、シフト量制御部１４５は第１時点Ｔ１で第２予備シフト方向ＰＳＤ２または第２ターゲットシフト方向ＴＳＤ２を反転させることができる。即ち、第１時点Ｔ１で第２ターゲットシフト方向ＴＳＤ２は前のシフト方向の左側に１画素移動した方向であってもよい。
【０１４０】
従って、第１時点Ｔ１で、第２映像ＩＭ２は右側に５画素シフトされて表示される。このため、シフト量制御部１４５によって第１及び第２映像ＩＭ１、ＩＭ２は限界シフト量ＬＳＡ内で周期的に移動することができる。よって、シフト方向決定部１４０の動作による過度なシフト及び映像の歪みを抑制することができる。
【０１４１】
図８ａは表示装置に表示される映像の一例を示す図であり、図８ｂは図２の映像補正部に含まれるシフト方向決定部の一例を示す図であり、図８ｃ及び図８ｄは図８ｂのシフト方向決定部の動作の一例を説明するための図である。
【０１４２】
図２、図８ａ〜図８ｄを参照すると、シフト方向決定部１４０Ｂは、映像分析部１４２、第１調整部１４４、及び第２調整部１４６を含んでもよい。
【０１４３】
映像分析部１４２は、入力映像データＩＤＡＴＡを分析して表示映像に含まれる輪郭線を検出することができる。例えば、図８ａに示したように、輪郭線は、映像の階調が急激に変わる境界部分であってもよい。
【０１４４】
輪郭線は、公知の様々な方式の輪郭検出フィルタまたはアルゴリズムを利用して検出してもよい。例えば、輪郭線は、ソベルマスク（ｓｏｂｅｌ  ｍａｓｋ）方式で検出してもよい。
【０１４５】
映像分析部１４２は、横方向（即ち、Ｘ軸方向Ｘ）の輪郭線の成分を算出して輪郭線の横の合計ＨＣＬを生成し、縦方向（Ｙ軸方向Ｙ）の輪郭線の成分を算出して輪郭線の縦の合計ＶＣＬを生成することができる。一実施例において、映像分析部１４２は、第１及び第２シフトシナリオＳＳ１、ＳＳ２による第１周期及び第２周期で該当時点に供給される入力映像データＩＤＡＴＡを分析することができる。
【０１４６】
輪郭線の横の合計ＨＣＬが縦の合計ＶＣＬより大きい場合、即ち、映像に横の輪郭線が多い場合、横方向への映像シフトはシフトの効果が僅かである。同様に、映像に縦の輪郭線が多い場合、縦方向への映像シフトはシフトの効果が僅かである。
【０１４７】
映像分析部１４２及び第１調整部１４４は、輪郭線の分析結果に基づいて第１及び第２予備シフト方向ＰＳＤ１、ＰＳＤ２の方向を変えることができる。
【０１４８】
第１調整部１４４は、横の合計ＨＣＬと縦の合計ＶＣＬを比較した結果に基づいて、第１予備シフト方向ＰＳＤ１と第２予備シフト方向ＰＳＤ２を調整することができる。一実施例において、縦の合計ＶＣＬが横の合計ＨＣＬより大きい場合、第１調整部１４４は、第１予備シフト方向ＰＳＤ１と第２予備シフト方向ＰＳＤ２を横方向（即ち、Ｘ軸方向Ｘ）に調整することができる。第１調整部１４４は、調整された第１予備シフト方向ＰＳＤ１’及び調整された第２予備シフト方向ＰＳＤ２’を第２調整部１４６に提供することができる。
【０１４９】
例えば、図８ｃに示したように、第１時点Ｔ１で縦の合計ＶＣＬが横の合計ＨＣＬより大きい場合、縦方向に対応する第１予備シフト方向ＰＳＤ１を横方向に調整することができる。即ち、第１予備シフト方向ＰＳＤ１によると、第１時点Ｔ１でＹ軸方向Ｙに１画素移動しなければならないが、第１調整部１４４によって第１時点Ｔ１で第１予備シフト方向ＰＳＤ１をＸ軸方向Ｘに１画素移動することに変更することができる。従って、第１映像ＩＭ１及び第２映像ＩＭ２が、第１時点Ｔ１で前のフレームより全てＸ軸方向Ｘに１画素さらに移動することができる。即ち、縦の合計ＶＣＬが横の合計ＨＣＬより大きい場合、ターゲットシフト方向ＴＳＤ１、ＴＳＤ２は、全てＸ軸方向Ｘに調整される。
【０１５０】
一実施例において、横の合計ＨＣＬが縦の合計ＶＣＬより大きい場合、第１調整部１４４は、第１予備シフト方向ＰＳＤ１と第２予備シフト方向ＰＳＤ２を縦方向（即ち、Ｙ軸方向Ｙ）に調整することができる。
【０１５１】
例えば、図８ｄに示したように、第２時点Ｔ２で横の合計ＨＣＬが縦の合計ＶＣＬより大きい場合、横方向に対応する第２予備シフト方向ＰＳＤ２を縦方向に調整することができる。即ち、第２予備シフト方向ＰＳＤ２によると、第２時点Ｔ２でＸ軸方向Ｘに１画素移動しなければならないが、第１調整部１４４によって第２時点Ｔ２で第２予備シフト方向ＰＳＤ２をＹ軸方向Ｙに１画素移動することに変更することができる。従って、第１映像ＩＭ１及び第２映像ＩＭ２が、第２時点Ｔ２で全て前のフレームよりＹ軸方向Ｙに１画素さらに移動することができる。即ち、横の合計ＨＣＬが縦の合計ＶＣＬより大きい場合、ターゲットシフト方向ＴＳＤ１、ＴＳＤ２は、全てＹ軸方向Ｙに調整される。
【０１５２】
一実施例において、第２調整部１４６は、調整された第１予備シフト方向ＰＳＤ１’と調整された第２予備シフト方向ＰＳＤ２’を比較することができる。調整された第１予備シフト方向ＰＳＤ１’と調整された第２予備シフト方向ＰＳＤ２’が反対である場合、第２調整部１４６は、調整された第１予備シフト方向ＰＳＤ１’と調整された第２予備シフト方向ＰＳＤ２’の何れか１つを反転させることができる。即ち、第２調整部１４６は、調整された第１予備シフト方向ＰＳＤ１’と調整された第２予備シフト方向ＰＳＤ２’が同じ方向になるように制御することができる。これにより、シフト量が相殺されない。
【０１５３】
第２調整部１４６によって調整された予備シフト方向は、それぞれ第１ターゲットシフト方向ＴＳＤ１及び第２ターゲットシフト方向ＴＳＤ２に決まる。
【０１５４】
このように、輪郭線の横の合計ＨＣＬ及び縦の合計ＶＣＬによってシフト方向をさらに制御することにより、映像シフトの効果及びこれによる劣化及び残像改善効果が極大化される。
【０１５５】
図９は、図２のシフト方向決定部に含まれるシフト方向決定部の一例を示すブロック図である。
【０１５６】
図９において、図７ａ〜図８ｄを参照して説明した構成要素に対しては同じ参照符号を使用し、このような構成要素に対する重複説明は省略する。また、図９のシフト方向決定部１４０Ｃは、シフト量制御部１４５を除き、図８ｂのシフト方向決定部１４０Ｂと実質的に同一または類似する構成であってもよい。
【０１５７】
一実施例において、シフト方向決定部１４０Ｃは、映像分析部１４２、第１調整部１４４、第２調整部１４６、及びシフト量制御部１４５を含んでもよい。
【０１５８】
映像分析部１４２は、入力映像データＩＤＡＴＡを分析して表示映像に含まれる輪郭線の横の合計ＨＣＬと縦の合計ＶＣＬを算出することができる。
【０１５９】
第１調整部１４４は、横の合計ＨＣＬと縦の合計ＶＣＬを比較した結果に基づいて、第１予備シフト方向ＰＳＤ１と第２予備シフト方向ＰＳＤ２を調整することができる。
【０１６０】
第２調整部１４６は、調整された第１予備シフト方向ＰＳＤ１’と調整された第２予備シフト方向ＰＳＤ２’を同じ方向に調整することができる。
【０１６１】
シフト量制御部１４５は、第２調整部１４６から出力される調整されたシフト方向ＰＳＤ１’’、ＰＳＤ２’’による原本映像の純粋なシフト量と限界シフト量ＬＳＡを比較して、原本映像のシフト量が限界シフト量ＬＳＡを超えないように補正することができる。例えば、シフト量制御部１４５は、調整されたシフト方向ＰＳＤ１’’、ＰＳＤ２’’の少なくとも１つを反転させることができる。
【０１６２】
シフト量制御部１４５の動作は、図７ａ〜図７ｃを参照して上述したので、重複する説明は省略する。
【０１６３】
このように、本発明の実施例による映像補正部１００は、シフト方向決定部１４０Ｃを含むことにより、限界シフト量ＬＳＡの範囲内で第１及び第２シフトシナリオＳＳ１、ＳＳ２による相対的なシフト方向の関係と輪郭線の分布をともに考慮し、シフト方向のアップデート時点ごとに適応的にシフト方向を決めることができる。従って、映像シフトの効果及びこれによる劣化及び残像改善効果を極大化することができる。
【０１６４】
図１０は、図２の映像補正部の一例を示すブロック図である。
【０１６５】
図１０において、図２を参照して説明した構成要素に対しては同じ参照符号を使用し、このような構成要素に対する重複説明は省略する。また、図１０の映像補正部１００Ａは、固定映像検出部１１０を除き、図２の映像補正部１００と実質的に同一または類似する構成であってもよい。
【０１６６】
図１、図２及び図１０を参照すると、映像補正部１００Ａは、固定映像検出部１１０、シフト経路アップデート部１２０、シフト方向決定部１４０、第１シフト制御部１６０、及び第２シフト制御部１８０を含んでもよい。
【０１６７】
固定映像検出部１１０は、入力映像データＩＤＡＴＡに基づいて表示パネル２０に表示される固定映像ＦＩを検出することができる。
【０１６８】
固定映像ＦＩは放送局、ブランドなどのロゴ映像を含んでもよい。但し、これは例示的なものであり、固定映像は表示画面の特定領域に、高輝度で長時間持続的に表示される全ての映像を含んでもよい。
【０１６９】
一実施例において、固定映像検出部１１０は、固定映像ＦＩの検出のためのマシンラーニングを行う人工知能プログラムを含んでもよい。例えば、畳み込みニューラルネットワーク（ｃｏｎｖｏｌｕｔｉｏｎａｌ  ｎｅｕｒａｌ  ｎｅｔｗｏｒｋ）モデルなどに基づいたマシンラーニングを利用して固定映像ＦＩを検出してもよい。
【０１７０】
これにより、固定映像ＦＩの位置及び形態の検出精度を大きく向上させることができる。
【０１７１】
一実施例において、固定映像検出部１１０は、フレームカウントＦＲＣに基づいて、既設定された時間間隔で固定映像ＦＩを検出することができる。または、固定映像検出部１１０は、特定時点に連続する所定のフレームを分析して固定映像ＦＩを検出してもよい。固定映像ＦＩの検出は、人工知能プログラムで行われてもよい。
【０１７２】
一実施例において、検出された固定映像ＦＩの位置に応じて、第１及び第２シフト制御部１６０、１８０のシフト方式が異なってもよい。例えば、ロゴ映像のように固定映像ＦＩが映像の外郭部に位置する場合、第１及び第２シフト制御部１６０、１８０はそれぞれグローバルシフト方式及びローカルシフト方式で映像をシフトすることができる。また、ナビゲーションのように固定映像ＦＩが映像の中央に位置する場合、第１及び第２シフト制御部１６０、１８０は、それぞれバウンダリシフト方式及びインターナルシフト方式で映像をシフトしてもよい。
【０１７３】
シフト方向決定部１４０は、図５ａ〜図９を参照して説明した機能のうち少なくとも１つを遂行することができる。
【０１７４】
図１１は、本発明の実施例による表示装置の駆動方法を示すフローチャートである。
【０１７５】
図１１を参照すると、表示装置の駆動方法は、第１シフトシナリオに応じて、既設定された第１周期で映像に含まれる固定映像の第１予備シフト方向をアップデートし、第２シフトシナリオに応じて、既設定された第２周期で上記固定映像の第２予備シフト方向をアップデート（Ｓ１００）し、第１予備シフト方向と第２予備シフト方向を比較した結果に基づいて第１及び第２シナリオを補正することができる。
【０１７６】
第１予備シフト方向がアップデートされる時点及び第２予備シフト方向がアップデートされる時点に、第１予備シフト方向と第２予備シフト方向を比較（Ｓ３００）してもよい。
【０１７７】
第１予備シフト方向と第２予備シフト方向が反対方向である場合、上記第１予備シフト方向と上記第２予備シフト方向の何れか１つを反転させて、第１ターゲットシフト方向と第２ターゲットシフト方向を決定（Ｓ３５０）してもよい。
【０１７８】
第１予備シフト方向と第２予備シフト方向が反対方向ではない場合、第１予備シフト方向と第２予備シフト方向をそれぞれ第１ターゲットシフト方向と第２ターゲットシフト方向に決めることができる（Ｓ５００）。例えば、第１予備シフト方向と第２予備シフト方向が同一である場合または第１予備シフト方向と第２予備シフト方向が互いに垂直である場合、第１及び第２予備シフト方向はそのまま第１及び第２ターゲットシフト方向にそれぞれ決まってもよい。
【０１７９】
第１ターゲットシフト方向に基づいて第１映像シフトが行われ、第２ターゲットシフト方向に基づいて第２映像シフトが行われる（Ｓ７００）ことにより、映像を表示することができる。
【０１８０】
このように、第１シフトシナリオと第２シフトシナリオによる第１及び第２映像シフトのシフト方向が相反する場合、１つの予備シフト方向を反転させることにより、映像のシフト量が補強及び／または増加することができる。従って、画素の劣化分散量を増加させ、特に、固定映像の劣化分散量を増加させることができる。これにより、残像低減のための映像シフトの効果を極大化することができる。
【０１８１】
図１２は、図１１の表示装置の駆動方法の一例を示すフローチャートである。
【０１８２】
図１１及び図１２を参照すると、表示装置の駆動方法は、入力映像データを分析して映像内でシフト効果が相殺される部分が除去されるようにシフト方向を調節することができる。
【０１８３】
第１及び第２ターゲットシフト方向を決める（Ｓ５００）ことは、入力映像データから輪郭線の横の合計と縦の合計を算出（Ｓ２２０）し、横の合計と縦の合計を比較した結果に基づいて第１予備シフト方向と第２予備シフト方向を調整（Ｓ２４０、Ｓ２６０、Ｓ２８０）し、調整された第１予備シフト方向と調整された第２予備シフト方向を比較した結果に基づいて調整された第１予備シフト方向と調整された第２予備シフト方向の何れか１つを再調整（Ｓ３２０、Ｓ３４０）することを含んでもよい。
【０１８４】
一実施例において、入力映像データを分析して輪郭線の横の合計と縦の合計を算出（Ｓ２２０）した後、横の合計と縦の合計を比較（Ｓ２４０）することができる。
【０１８５】
横の合計が上記縦の合計より大きい場合、第１及び第２予備シフト方向を縦方向に調整（Ｓ２６０）することができる。縦の合計が横の合計より大きい場合、第１及び第２予備シフト方向を横方向に調整（Ｓ２８０）することができる。
【０１８６】
調整された第１予備シフト方向と調整された第２予備シフト方向を比較（Ｓ３２０）することができる。調整された第１予備シフト方向と調整された第２予備シフト方向が同一である場合、調整された第１予備シフト方向と調整された第２予備シフト方向をそれぞれ第１ターゲットシフト方向と第２ターゲットシフト方向に決めることができる。調整された第１予備シフト方向と調整された第２予備シフト方向が反対である場合は、調整された第１予備シフト方向と調整された第２予備シフト方向の何れか１つを反転（Ｓ３４０）することができる。
【０１８７】
一実施例において、再調整された第１及び第２予備シフト方向のベクトルの和に基づいて最大シフト量が制御されてもよい。例えば、再調整された第１及び第２予備シフト方向のベクトルの和から決まる予備シフト量と既設定された限界シフト量を比較（Ｓ４２０）してもよい。
【０１８８】
予備シフト量が限界シフト量を超える場合、再調整された第１及び第２予備シフト方向の何れか１つを反転（Ｓ４４０）することができる。予備シフト量が上記限界シフト量以下の場合は、再調整された第１及び第２予備シフト方向をそれぞれ第１及び第２ターゲットシフト方向に決める（Ｓ５００）ことができる。
【０１８９】
第１ターゲットシフト方向に基づいて第１映像シフトが行われ、第２ターゲットシフト方向に基づいて第２映像シフトが行われる（Ｓ７００）ことにより、シフトされた映像を表示することができる。
【０１９０】
上述したように、本発明の実施例による表示装置の駆動方法は、限界シフト量の範囲内で第１及び第２シフトシナリオによる相対的なシフト方向の関係と輪郭線の分布をともに考慮して、シフト方向のアップデート時点ごとに適応的にシフト方向を決めることができる。従って、映像シフトの効果及びこれによる劣化及び残像改善効果を極大化することができる。
【０１９１】
本発明は、表示装置を含む任意の電子機器に適用されてもよい。例えば、本発明は、ＨＭＤ装置、ＴＶ、デジタルＴＶ、３ＤＴＶ、ＰＣ、家庭用電子機器、ノート型パソコン、タブレットコンピュータ、携帯電話、スマートフォン、ＰＤＡ、ＰＭＰ、デジタルカメラ、音楽プレーヤー、携帯ゲームコンソール、ナビゲーションなどに適用されてもよい。また、本発明は、スマートウォッチ（ｗａｔｃｈ）などのウェアラブル機器にも適用できる。
【０１９２】
以上では、本発明の実施例を参照して説明したが、当該技術分野の熟練した当業者は、添付の特許請求の範囲に記載された本発明の思想及び領域から外れない範囲内で本発明を多様に修正及び変更することができることを理解できるであろう。
【符号の説明】
【０１９３】
１  表示装置
１０  タイミング制御部
２０  表示パネル
３０  走査駆動部
４０  データ駆動部
１００  映像補正部
１１０  固定映像検出部
１２０  シフト経路アップデート部
１４０、１４０Ａ、１４０Ｂ、１４０Ｃ  シフト方向決定部
１４２  映像分析部
１４４  第１調整部
１４５  シフト量制御部
１４６  第２調整部
１６０  第１シフト制御部
１８０  第２シフト制御部
【図１】
2020038340.tif 000003
【図２】
2020038340.tif 000004
【図３ａ】
2020038340.tif 000005
【図３ｂ】
2020038340.tif 000006
【図４ａ】
2020038340.tif 000007
【図４ｂ】
2020038340.tif 000008
【図５ａ】
2020038340.tif 000009
【図５ｂ】
2020038340.tif 000010
【図５ｃ】
2020038340.tif 000011
【図５ｄ】
2020038340.tif 000012
【図６ａ】
2020038340.tif 000013
【図６ｂ】
2020038340.tif 000014
【図６ｃ】
2020038340.tif 000015
【図６ｄ】
2020038340.tif 000016
【図７ａ】
2020038340.tif 000017
【図７ｂ】
2020038340.tif 000018
【図７ｃ】
2020038340.tif 000019
【図８ａ】
2020038340.tif 000020
【図８ｂ】
2020038340.tif 000021
【図８ｃ】
2020038340.tif 000022
【図８ｄ】
2020038340.tif 000023
【図９】
2020038340.tif 000024
【図１０】
2020038340.tif 000025
【図１１】
2020038340.tif 000026
【図１２】
2020038340.tif 000027